(57)【要約】【課題】煩雑な手間を省き、選曲する際の有益な情報をタイトル名として付与すること。【解決手段】タイトル付与装置１００は、入力部１０１と、判断部１０２と、生成部１０３と、付与部１０４とを備える。入力部１０１には、音声情報を含む楽曲情報が入力される。判断部１０２は、楽曲情報に、タイトル名が付与されているか否かを判断する。生成部１０３は、判断部１０２によって楽曲情報にタイトル名が付与されていないと判断された場合に、タイトル名の付与に用いることができる音声情報、または、入力部１０１に楽曲情報が入力される際に取得する、タイトル名の付与に用いることができ且つ予め設定される外部からの情報、に基づいて、テキスト形式のタイトル名を生成する。付与部１０４は、生成部１０３によって生成されたタイトル名を、楽曲情報にテキスト形式のタイトル名を付与する。【選択図】図１
2009043353.tif 000002
【特許請求の範囲】
【請求項１】
音声情報を含む楽曲情報が入力される入力手段と、
前記入力手段に入力される前記楽曲情報に、タイトル名が付与されているか否かを判断する判断手段と、
前記判断手段によって前記楽曲情報にタイトル名が付与されていないと判断された場合に、前記入力手段に入力される前記楽曲情報に含まれる前記音声情報のうち、タイトル名の付与に用いることができる前記音声情報、または、前記入力手段に前記楽曲情報が入力される際に取得する、タイトル名の付与に用いることができ且つ予め設定される外部からの情報、に基づいて、テキスト形式のタイトル名を生成する生成手段と、
前記生成手段によって生成されたテキスト形式のタイトル名を前記楽曲情報に付与する付与手段と、
を備えることを特徴とするタイトル付与装置。
【請求項２】
前記生成手段は、前記入力手段に入力される前記音声情報のうち、所定の区間の音声情報をテキスト形式に変換することにより、前記タイトル名を生成することを特徴とする請求項１に記載のタイトル付与装置。
【請求項３】
前記生成手段は、前記判断手段によって前記楽曲情報にタイトル名が付与されていないと判断された場合、前記入力手段に入力される前記音声情報のハイライト区間を抽出し、抽出したハイライト区間の音声情報に基づいて、テキスト形式のタイトル名を生成することを特徴とする請求項１または２に記載のタイトル付与装置。
【請求項４】
前記生成手段は、前記入力手段に入力される前記音声情報の開始から所定の範囲の導入区間を抽出し、抽出した前記導入区間の音声情報に基づいて、テキスト形式のタイトル名を生成することを特徴とする請求項２または３に記載のタイトル付与装置。
【請求項５】
前記生成手段は、前記入力手段に入力される前記音声情報のボーカル成分を音声解析することにより、歌詞のタイトル名を生成することを特徴とする請求項１〜４のいずれか一つに記載のタイトル付与装置。
【請求項６】
前記生成手段は、前記入力手段に入力される前記音声情報の曲調またはテンポを音声解析することにより、曲調またはテンポのタイトル名を生成することを特徴とする請求項１〜４のいずれか一つに記載のタイトル付与装置。
【請求項７】
移動体に搭載される請求項１〜６のいずれか一つに記載のタイトル付与装置において、
前記生成手段は、前記移動体の現在位置を特定する情報、移動体の現在位置における天気情報、移動体の速度に関する情報、または、移動体の経路誘導時における目的地に関する情報のうち、少なくとも一つに基づいて、テキスト形式のタイトル名を生成することを特徴とするタイトル付与装置。
【請求項８】
楽曲が再生されたときに、前記音声情報を含む前記楽曲情報が入力され、テキスト形式のタイトル名が生成されることを特徴とする請求項１〜７のいずれか一つに記載のタイトル付与装置。
【請求項９】
楽曲が録音されたときに、前記音声情報を含む前記楽曲情報が入力され、テキスト形式のタイトル名が生成されることを特徴とする請求項１〜８のいずれか一つに記載のタイトル付与装置。
【請求項１０】
前記付与手段によって前記楽曲情報に付与されたタイトル名を表示する表示手段をさらに備えることを特徴とする請求項１〜９のいずれか一つに記載のタイトル付与装置。
【請求項１１】
音声情報を含む楽曲情報が入力される入力工程と、
前記入力工程にて入力された前記楽曲情報に、タイトル名が付与されているか否かを判断する判断工程と、
前記判断工程によって前記楽曲情報にタイトル名が付与されていないと判断された場合に、前記入力工程にて入力された前記楽曲情報に含まれる前記音声情報のうち、タイトル名の付与に用いることができる前記音声情報、または、前記入力工程にて前記楽曲情報が入力される際に取得する、タイトル名の付与に用いることができ且つ予め設定される外部からの情報、に基づいて、テキスト形式のタイトル名を生成する生成工程と、
前記生成工程によって生成されたテキスト形式のタイトル名を前記楽曲情報に付与する付与工程と、
を含むことを特徴とするタイトル付与方法。
【請求項１２】
請求項１１に記載のタイトル付与方法をコンピュータに実行させることを特徴とするタイトル付与プログラム。
【請求項１３】
請求項１２に記載のタイトル付与プログラムを記録したことを特徴とするコンピュータに読み取り可能な記録媒体。
【発明の詳細な説明】
【技術分野】
【０００１】
この発明は、タイトル付与装置、タイトル付与方法、タイトル付与プログラム、および記録媒体に関する。
【背景技術】
【０００２】
近年、ＣＤやＭＤなどの記録媒体やハードディスクなどに記録された楽曲を再生することが可能なオーディオ装置が普及している。このようなオーディオ装置では、外部サーバのＣＤＤＢにアクセスできる環境であれば、タイトルを取得し、取得したタイトル名がディスプレイに表示されるようになっている。一方、ＣＤＤＢにアクセスできない環境や、ＣＤＤＢにアクセスしたものの、ＣＤＤＢにタイトル名が格納されておらず、当該タイトル名を取得できない場合には、タイトル名がディスプレイに表示されない。このようにタイトル名が表示されない場合に、ハードディスクに大量の楽曲が記録されていると、利用者は選曲をおこなう際に、試聴する必要があり、煩わしいといった問題がある。
【０００３】
そこで、たとえば、楽曲の録音時に、録音した日時をトラックのタイトル情報として記録させることにより、利用者による選曲を容易にした技術が提案されている（たとえば、下記特許文献１参照。）。また、たとえば、楽曲名またはアーティスト名を、利用者からの操作入力により編集することによって、付与されているアルバム名を変更するようにし、選曲を容易にした技術が提案されている（たとえば、下記特許文献２参照。）。
【０００４】
【特許文献１】特開２００１−２４５２２８号公報
【特許文献２】特開２００５−４４４０３号公報
【発明の開示】
【発明が解決しようとする課題】
【０００５】
しかしながら、上述した特許文献１の技術は、記録媒体に大量の楽曲が記録されている場合や、記録した日時が古い場合には、当該日時が表示されたとしても、利用者にとっては選曲する際の有益な情報とはなり得ず、一度試聴する必要があり、煩わしさが解消されないといった問題が一例として挙げられる。また、上述した特許文献２の技術は、記録媒体に大量の楽曲が記録されている場合には、利用者により一つ一つの楽曲に対して操作入力をおこなう必要があるため、利用者にとっては手間がかかるといった問題が一例として挙げられる。
【課題を解決するための手段】
【０００６】
上述した課題を解決し、目的を達成するため、請求項１の発明にかかるタイトル付与装置は、音声情報を含む楽曲情報が入力される入力手段と、前記入力手段に入力される前記楽曲情報に、タイトル名が付与されているか否かを判断する判断手段と、前記判断手段によって前記楽曲情報にタイトル名が付与されていないと判断された場合に、前記入力手段に入力される前記楽曲情報に含まれる前記音声情報のうち、タイトル名の付与に用いることができる前記音声情報、または、前記入力手段に前記楽曲情報が入力される際に取得する、タイトル名の付与に用いることができ且つ予め設定される外部からの情報、に基づいて、テキスト形式のタイトル名を生成する生成手段と、前記生成手段によって生成されたテキスト形式のタイトル名を前記楽曲情報に付与する付与手段と、を備えることを特徴とする。
【０００７】
また、請求項１１の発明にかかるタイトル付与方法は、音声情報を含む楽曲情報が入力される入力工程と、前記入力工程にて入力された前記楽曲情報に、タイトル名が付与されているか否かを判断する判断工程と、前記判断工程によって前記楽曲情報にタイトル名が付与されていないと判断された場合に、前記入力工程にて入力された前記楽曲情報に含まれる前記音声情報のうち、タイトル名の付与に用いることができる前記音声情報、または、前記入力工程にて前記楽曲情報が入力される際に取得する、タイトル名の付与に用いることができ且つ予め設定される外部からの情報、に基づいて、テキスト形式のタイトル名を生成する生成工程と、前記生成工程によって生成されたテキスト形式のタイトル名を前記楽曲情報に付与する付与工程と、を含むことを特徴とする。
【０００８】
また、請求項１２の発明にかかるタイトル付与プログラムは、請求項１１に記載のタイトル付与方法をコンピュータに実行させることを特徴とする。
【０００９】
また、請求項１３の発明にかかる記録媒体は、請求項１２に記載のタイトル付与プログラムをコンピュータに読み取り可能に記録したことを特徴とする。
【発明を実施するための最良の形態】
【００１０】
以下に添付図面を参照して、この発明にかかるタイトル付与装置、タイトル付与方法、タイトル付与プログラム、および記録媒体の好適な実施の形態を詳細に説明する。
【００１１】
（実施の形態）
（タイトル付与装置の構成）
この発明の実施の形態にかかるタイトル付与装置１００の構成について説明する。図１は、本実施の形態にかかるタイトル付与装置の構成の一例を示すブロック図である。図１において、タイトル付与装置１００は、入力部１０１と、判断部１０２と、生成部１０３と、付与部１０４と、取得部１０５と、表示部１０６と、を備えて構成される。
【００１２】
入力部１０１には、音声情報を含む楽曲情報が入力される。楽曲情報は、具体的には、音声情報と、曲数や再生時間を示す情報などのＴＯＣ（Ｔａｂｌｅ  Ｏｆ  Ｃｏｎｔｅｎｔｓ）情報とを含んだ情報である。この楽曲情報に含まれる音声情報は、代表的には、発話による音声、すなわち、歌詞を有するものが挙げられるが、歌詞を有しないもの、たとえば、映画フィルムやテレビドラマ、ゲームソフトなどに用いられるＢＧＭなどのサウンドトラックなどをも含む。
【００１３】
なお、ＣＤＤＢでは、上述したＴＯＣ情報と楽曲情報とが関連付けられており、タイトル付与装置１００とＣＤＤＢとの通信環境が良好な場合には、タイトル付与装置１００から受信したＴＯＣ情報を基に、タイトル名を特定し、当該タイトル名をタイトル付与装置１００に送信する。そして、タイトル付与装置１００では、受信した正規のタイトル名が付与されるようになっている。
【００１４】
判断部１０２は、入力部１０１に入力された楽曲情報に、タイトル名が付与されているか否かを判断する。具体的には、判断部１０２は、たとえば、ＣＤＤＢに対してアクセス不可能な環境の場合にタイトル名が付与されていないものと判断してもよいし、ＣＤＤＢに対してアクセスしたものの、ＣＤＤＢに対応するタイトル名が格納されておらず、タイトル名が付されなかった場合に、タイトル名が付与されていないものと判断してもよい。
【００１５】
生成部１０３は、判断部１０２によって楽曲情報にタイトル名が付与されていないと判断された場合に、入力部１０１に入力される楽曲情報に含まれる音声情報のうち、タイトル名の付与に用いることができる音声情報に基づいて、テキスト形式のタイトル名を生成する。タイトル名の付与に用いることができる音声情報は、具体的には、楽曲の歌詞、曲調、テンポなどが挙げられる。
【００１６】
また、生成部１０３は、入力部１０１によって楽曲情報が入力される際に、タイトル名の付与に用いることができ且つ予め設定される外部からの情報に基づいて、テキスト形式のタイトル名を生成する。外部からの情報は、日時、気温、湿度、天気などの情報を広く含むが、具体的には、後述するように、移動体に搭載されるタイトル付与装置１００の場合、取得部１０５を介して取得する、移動体の現在位置を特定する情報、移動体の現在位置における天気情報、移動体の速度に関する情報、または、移動体の経路誘導時における目的地に関する情報などが挙げられる。
【００１７】
付与部１０４は、生成部１０３によって生成されたテキスト形式のタイトル名を付与する。付与部１０４は、具体的には、楽曲の歌詞、曲調、テンポなどをタイトル名として楽曲情報に付与する。また、付与部１０４は、移動体の現在位置や、現在位置における天気などの情報をタイトル名として楽曲情報に付与する。付与されたタイトル名は、利用者に対して、音声による通知をおこなってもよいし、後述する表示部１０６による表示画面による通知としてもよい。
【００１８】
本実施の形態において、生成部１０３は、入力部１０１に入力された音声情報のうち、所定の区間の音声情報をテキスト形式に変換することにより、タイトル名を生成するようにしてもよい。所定の区間は、楽曲を再生または録音する際の、所定の時間の範囲である。
【００１９】
具体的には、生成部１０３は、判断部１０２によって楽曲情報にタイトル名が付与されていないと判断された場合、入力部１０１に入力された音声情報のハイライト区間を抽出し、抽出したハイライト区間の音声情報に基づいて、テキスト形式のタイトル名を生成すればよい。このハイライト区間は、代表的には、楽曲のサビの部分である。したがって、生成部１０３は、ハイライト区間の歌詞、曲調、テンポなどをタイトル名として生成する。
【００２０】
また、生成部１０３は、入力部１０１に入力された音声情報の開始から所定の範囲の導入区間を抽出し、抽出した導入区間の音声情報に基づいて、テキスト形式のタイトル名を生成するようにしてもよい。導入区間とは、具体的には、楽曲の始まりの領域、つまり、イントロである。したがって、生成部１０３は、導入領域の歌詞、曲調、テンポなどをタイトル名として生成する。
【００２１】
また、本実施の形態において、生成部１０３は、入力部１０１によって入力された音声情報のボーカル成分を音声解析することにより、歌詞のタイトル名を生成するようにしてもよい。具体的には、生成部１０３は、楽曲のサビの部分の歌詞や、イントロ部分の歌詞を音声解析することにより、テキスト形式のタイトル名を生成する。
【００２２】
また、本実施の形態において、生成部１０３は、入力部１０１に入力された音声情報の曲調またはテンポを音声解析することにより、曲調またはテンポのタイトル名を生成するようにしてもよい。曲調は、たとえば、曲の明るさや暗さのほか、洋楽、邦楽、ジャズ、ロック、ポップス、演歌といったジャンル別としたものでもよい。また、テンポは、速い曲、遅い曲といった曲の速さである。したがって、生成部１０３は、曲の明るさ、ジャンル、曲の速さなどをタイトル名として生成する。
【００２３】
また、移動体に搭載されるタイトル付与装置１００においては、取得部１０５を備えればよい。取得部１０５は、移動体の現在位置を特定する情報、移動体の現在位置における天気情報、移動体の速度に関する情報、または、移動体の経路誘導時における目的地に関する情報のうち、少なくとも一つを取得するようにしてもよい。この場合、生成部１０３は、取得部１０５によって取得された、これら情報のうち、少なくとも一つに基づいて、楽曲情報にテキスト形式のタイトル名を生成する。本構成は、人が楽曲を記憶するに際して、楽曲と、当該楽曲を聴いていた情景とを同時に記憶する傾向にあるということに鑑み、楽曲に対して、楽曲を再生した際の情景（場所、天気、速度、または行き先）をタイトル名とするものである。
【００２４】
上述した外部からの各情報について詳細に説明すると、移動体の現在位置を特定する情報としては、代表的には、都道府県名、市町村名、番地が挙げられるが、山、川、海などの名称などでもよい。移動体の現在位置における天気情報は、前提として、移動体の現在位置が特定されていることを要し、具体的には、「晴れ」、「雨」といった情報や、気温や湿度の情報をも含む。また、移動体の速度に関する情報は、具体的には、速度「４０ｋｍ／ｈ」といった情報である。また、移動体の経路誘導時における目的地に関する情報は、具体的には、利用者からの入力により目的地に設定された地物の名称の情報である。
【００２５】
また、本実施の形態においては、楽曲が再生されたときに、音声情報を含む楽曲情報が入力され、テキスト形式のタイトル名が生成されるようにしてもよい。本構成は、音声情報を含む楽曲情報が入力部１０１に入力されるタイミングを、楽曲が再生されたときとしたものである。
【００２６】
また、本実施の形態においては、楽曲が録音されたときに、音声情報を含む楽曲情報が入力され、テキスト形式のタイトル名が生成されるようにしてもよい。本構成は、音声情報を含む楽曲情報が入力部１０１に入力されるタイミングを、楽曲が録音されたときとしたものである。
【００２７】
また、本実施の形態において、表示部１０６は、任意の構成要素である。表示部１０６は、付与部１０４によって楽曲情報に付与されたタイトル名を表示する。表示部１０６は、具体的には、表示画面により、映像信号を表示出力できるものであればよく、たとえば、ＣＲＴ、ＴＦＴ液晶ディスプレイ、プラズマディスプレイなどが用いられる。
【００２８】
（タイトル付与装置のタイトル付与処理手順）
つぎに、図２を用いて、タイトル付与装置１００のタイトル付与処理手順について説明する。図２は、本実施の形態にかかるタイトル付与装置のタイトル付与処理手順の一例を示すフローチャートである。
【００２９】
図２のフローチャートにおいて、タイトル付与装置１００は、入力部１０１に音声情報を含む楽曲情報が入力されるまで待機状態にあり（ステップＳ２０１：Ｎｏのループ）、入力部１０１に楽曲情報が入力されると、（ステップＳ２０１：Ｙｅｓ）、判断部１０２によって、楽曲情報にタイトル名が付与されているか否かが判断される（ステップＳ２０２）。ステップＳ２０２において、楽曲情報にタイトル名が付与されていないと判断した場合（ステップＳ２０２：Ｎｏ）、生成部１０３が、タイトル名の付与に用いることができる音声情報または外部からの情報に基づいて、楽曲情報にテキスト形式のタイトル名を生成する（ステップＳ２０３）。
【００３０】
そして、付与部１０４が、テキスト形式のタイトル名を付与し（ステップＳ２０４）、一連の処理を終了する。一方、ステップＳ２０２において、楽曲情報にタイトル名が付与されていると判断した場合（ステップＳ２０２：Ｙｅｓ）、一連の処理を終了する。
【００３１】
以上説明したように、本実施の形態にかかるタイトル付与装置１００は、タイトル名の付与に用いることができる、音声情報または外部からの情報に基づいて、テキスト形式のタイトル名を生成し、楽曲情報にタイトル名を付与するようにした。したがって、利用者による煩雑な手間を省きながら、選曲する際の有益な情報を、タイトル名として付与することができる。これにより、大量の楽曲が記録されている場合であっても、利用者は選曲を容易におこなうことができる。
【００３２】
また、本実施の形態において、生成部１０３は、音声情報のうち、所定の区間の音声情報をテキスト形式に変換することにより、タイトル名を生成してもよい。具体的には、音声情報のハイライト区間を抽出し、抽出したハイライト区間の音声情報に基づいて、テキスト形式のタイトル名を生成してもよい。このような構成によれば、最も印象的な部分の、歌詞、曲調、テンポなどをタイトル名として付与できるため、利用者は選曲を容易におこなうことができる。
【００３３】
また、本実施の形態においては、入力された音声情報の開始位置から所定の範囲の導入区間を抽出し、抽出した導入区間の音声情報に基づいて、テキスト形式のタイトル名を生成してもよい。このような構成によれば、イントロ部分の、歌詞、曲調、テンポなどをタイトル名として付与できるため、利用者は選曲を容易におこなうことができる。
【００３４】
また、本実施の形態において、生成部１０３は、音声情報のボーカル成分を音声解析することにより、歌詞のタイトル名を生成してもよい。具体的には、生成部１０３は、楽曲のサビの部分のボーカル成分や、イントロ部分のボーカル成分を音声解析することにより、歌詞のタイトル名を生成する。このような構成によれば、楽曲において印象的な部分となるサビの部分やイントロ部分の歌詞をタイトル名とすることができ、利用者は選曲を容易におこなうことができる。
【００３５】
また、本実施の形態において、生成部１０３は、音声情報の曲調またはテンポを音声解析することにより、曲調またはテンポのタイトル名を生成するようにしてもよい。このような構成によれば、楽曲の曲調またはテンポを、タイトル名として付与することができ、利用者は選曲を容易におこなうことができる。
【００３６】
また、移動体に搭載されるタイトル付与装置１００において、取得部１０５は、移動体の現在位置を特定する情報、移動体の現在位置における天気情報、移動体の速度に関する情報、または、移動体の経路誘導時における目的地に関する情報をのうち、少なくとも一つを取得すればよい。本構成は、タイトル付与装置１００をナビゲーション装置などと併用した場合を想定したものであり、利用者が当該楽曲を聴いていた場所、天気、速度、または行き先に関する情報をタイトル名として付与するものである。このような構成によれば、利用者にとっては、楽曲に印象づけられた、当該楽曲を聴いていたときの情景がタイトル名となるので、選曲を容易におこなうことができる。
【００３７】
また、本実施の形態において、楽曲が再生されたときに、楽曲情報が入力されるようにしてもよい。このような構成によれば、楽曲が再生されるタイミングで、タイトル名の生成やタイトル名の付与をおこなうことができる。したがって、たとえば、タイトル付与モードなど、タイトル名のない楽曲を検索してタイトル名を付与するモードを設ける必要がなく、再生と同時にタイトル名を付与することが可能になるので、利用者は煩雑な手間を省くことができる。
【００３８】
また、本実施の形態において、楽曲が録音されたときに、楽曲情報が入力されるようにしてもよい。このような構成によれば、楽曲が録音されるタイミングで、タイトル名の生成やタイトル名の付与をおこなうことができる。したがって、たとえば、タイトル付与モードなど、タイトル名のない楽曲を検索してタイトル名を付与するモードを設ける必要がなく、録音と同時にタイトル名を付与することが可能になるので、利用者は煩雑な手間を省くことができる。
【００３９】
また、本実施の形態において、楽曲情報に付与されたタイトル名を表示する表示部１０６を備えるようにしてもよい。このような構成によれば、利用者は、視覚により、簡単にタイトル名を認識することができる。
【実施例】
【００４０】
以下に、本発明の実施例について説明する。本実施例では、車両に搭載されるナビゲーション装置によって、本発明のタイトル付与装置１００を実施した場合の一例について説明する。
【００４１】
（ナビゲーション装置３００のハードウェア構成）
図３を用いて、本実施例にかかるナビゲーション装置３００のハードウェア構成について説明する。図３は、本実施例にかかるナビゲーション装置３００のハードウェア構成の一例を示すブロック図である。図３において、ナビゲーション装置３００は、車両などの移動体に搭載されており、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＧＰＳユニット３１５と、各種センサ３１６と、を備えている。また、各構成部３０１〜３１６はバス３２０によってそれぞれ接続されている。
【００４２】
ＣＰＵ３０１は、ナビゲーション装置３００の全体の制御を司る。ＲＯＭ３０２は、ブートプログラム、現在地点算出プログラム、経路探索プログラム、経路誘導プログラム、音声生成プログラム、音響制御プログラム、タイトル付与プログラムなどの各種プログラムを記録している。また、ＲＡＭ３０３は、ＣＰＵ３０１のワークエリアとして使用される。
【００４３】
現在地点算出プログラムは、たとえば、後述するＧＰＳユニット３１５および各種センサ３１６の出力情報に基づいて、車両の現在地点（ナビゲーション装置３００の現在地点）を算出させる。
【００４４】
経路探索プログラムは、後述する磁気ディスク３０５に記録されている地図データなどを利用して、出発地点から目的地点までの最適な経路を探索させる。ここで、最適な経路とは、目的地点までの最短（または最速）経路やユーザが指定した条件に最も合致する経路などである。また、目的地点のみならず、立ち寄り地点や休憩地点までの経路を探索してもよい。探索された誘導経路は、ＣＰＵ３０１を介して音声Ｉ／Ｆ３０８や映像Ｉ／Ｆ３１２へ出力される。
【００４５】
経路誘導プログラムは、経路探索プログラムを実行することによって探索された誘導経路情報、現在地点算出プログラムを実行することによって算出された車両の現在地点情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１２へ出力される。
【００４６】
音声生成プログラムは、パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこない、ＣＰＵ３０１を介して音声Ｉ／Ｆ３０８へ出力される。
【００４７】
音響制御プログラムは、音声Ｉ／Ｆ３０８によってスピーカ３１０から出力する音声の音響特性を決定させ、決定された音響特性によってスピーカ３１０を介して音声出力をおこなう。出力する音声は、通信Ｉ／Ｆ３１４を介して入力されたテレビやラジオなどの音声や、磁気ディスク３０５、光ディスク３０７に記録される楽曲のほか、ＣＤ、ＭＤ、カセットなどに記録される楽曲などである。
【００４８】
タイトル付与プログラムは、ＣＤ、ＭＤ、磁気ディスク３０５、光ディスク３０７などに記録される楽曲情報を、再生または録音する際、当該楽曲にタイトル名が付与されていない場合に、タイトル名の付与に用いることができる情報に基づいて、テキスト形式のタイトル名を生成し、楽曲情報にテキスト形式のタイトル名を付与する。
【００４９】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００５０】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱自在な記録媒体として、光ディスク３０７のほか、ＭＯ、メモリカードなどであってもよい。
【００５１】
音声Ｉ／Ｆ３０８は、音声入力用のマイク３０９およびスピーカ３１０に接続される。マイク３０９に受音された音声は、音声Ｉ／Ｆ３０８内でＡ／Ｄ変換される。マイク３０９は、たとえば、車両のサンバイザー付近に配置され、その数は単数でも複数でもよい。なお、マイク３０９から入力された音声は、音声情報として磁気ディスク３０５または光ディスク３０７に記録可能である。スピーカ３１０は、音声を出力する。
【００５２】
入力デバイス３１１は、文字、数値、各種指示などの入力のための複数のキーを備えたリモコン、キーボード、マウス、タッチパネルなどが挙げられる。入力デバイス３１１は、リモコン、キーボード、マウス、タッチパネルのうち、いずれか一つの形態によって実現されてもよいし、複数の形態によって実現されてもよい。
【００５３】
映像Ｉ／Ｆ３１２は、ディスプレイ３１３と接続される。映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００５４】
ディスプレイ３１３には、アイコン、カーソル、メニュー、ウインドウ、あるいは文字や画像などの各種データが表示される。ディスプレイ３１３には、上述した地図データが
２次元または３次元に描画される。ディスプレイ３１３に表示された地図データには、ナビゲーション装置３００を搭載した車両の現在地点をあらわすマークなどを重ねて表示することができる。車両の現在地点は、ＣＰＵ３０１によって算出される。
【００５５】
このディスプレイ３１３は、たとえば、ＣＲＴ、ＴＦＴ液晶ディスプレイ、プラズマディスプレイなどを採用することができる。ディスプレイ３１３は、たとえば、車両のダッシュボード付近に設置される。ディスプレイ３１３は、車両のダッシュボード付近のほか、車両の後部座席周辺などに設置するなどして、車両内に複数設置してもよい。
【００５６】
通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００５７】
通信網には、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路情報を取得する。なお、ＶＩＣＳは登録商標である。また、通信Ｉ／Ｆ３１４は、車両の現在位置における天気情報を取得する。
【００５８】
ＧＰＳユニット３１５は、ＧＰＳ衛星からの電波を受信し、車両の現在地点を示す情報を出力する。ＧＰＳユニット３１５の出力情報は、後述する各種センサ３１６の出力値とともに、ＣＰＵ３０１による車両の現在地点の算出に際して利用される。現在地点を示す情報は、たとえば緯度・経度、高度などの、地図データ上の１点を特定する情報である。
【００５９】
各種センサ３１６は、車速センサ、加速度センサなどの、車両の位置や挙動を判断することが可能な情報を出力する。各種センサ３１６の出力値は、ＣＰＵ３０１による車両の現在地点の算出や、速度や方位の変化量の測定などに用いられる。
【００６０】
図１に示したタイトル付与装置１００が備える入力部１０１と、判断部１０２と、生成部１０３と、付与部１０４と、取得部１０５と、表示部１０６とは、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。
【００６１】
すなわち、本実施例のナビゲーション装置３００は、ナビゲーション装置３００における記録媒体としてのＲＯＭ３０２に記録されているタイトル付与プログラムを実行することにより、図１に示したタイトル付与装置１００が備える機能を、図２に示したタイトル付与手順で実行することができる。
【００６２】
（ナビゲーション装置によるハイライト区間の抽出の一例）
つぎに、図４を用いて、本実施例にかかるナビゲーション装置３００によるハイライト区間の抽出の一例について説明する。図４は、本実施例にかかるナビゲーション装置によるハイライト区間の抽出の一例を示す説明図である。
【００６３】
図４において、音声情報４００は、イントロ、Ａメロ、Ｂメロ、サビ、間奏といった各構成部を備えているものとする。音声情報４００は、構成部ごとにＡ群（Ａ１，Ａ２）、Ｂ群（Ｂ）、Ｃ群（Ｃ１〜Ｃ３）に区分けされる。
【００６４】
ここで、音声情報の構成部ごとの区分けについて説明する。たとえば、まず、音声情報をパルス変調化し、パルス変調化された音声信号を周波数解析することにより、音声信号から時系列の和音進行を検出する。つぎに、一曲全体の和音進行と、所定の位置から切り出した部分和音進行との相互相関演算により、曲調の類似する繰り返し区間を検出する。検出された繰り返し区間を一群化することにより、構成部ごとの区分けとなる。なお、構成部ごとの区分けは、このような手法に限らず、他の手法を用いてもよい。
【００６５】
図４において、符号４１０は、歌曲でいう１番を示している。符号４２０は、歌曲でいう２番を示している。構成部「Ｉ」４３０は、イントロ部分を示している。符号４１０に示す歌曲の１番は、Ａメロとしての構成部「Ａ１」４１１と、Ｂメロとしての構成部「Ｂ」４１２と、サビとしての構成部「Ｃ１」４１３とからなる。なお、説明上、Ａメロ、Ｂメロ、サビは既知のものとして説明しているが、抽出時においては、これらは未知のものである。符号４２０に示す歌曲の２番は、Ａメロとしての構成部「Ａ２」４２１と、サビとしての構成部「Ｃ２」４２２とからなる。また、構成部「Ｄ」４４０は、間奏部分である。また、構成部「Ｃ３」４５０は、サビの部分である。
【００６６】
このように区分けされた各構成部（Ａ〜Ｃ）を基に、最も繰り返される構成部、つまり、Ｃ群をハイライト区間として抽出する。そして、この抽出されたハイライト区間の、たとえば、ボーカル成分の音声解析をおこなうことにより、サビの部分の歌詞をテキスト形式のタイトル名として生成することが可能になる。また、このほかにも、構成部「Ａ１」４１１の開始位置の音声情報に含まれるボーカル成分を音声解析することにより、開始位置の歌詞をタイトル名として付与することも可能である。
【００６７】
なお、楽曲においては、最も繰り返される構成部（区間）がサビの部分ではない場合も希にある。つまり、ハイライト区間として抽出した区間がサビの部分でない場合も希にあるが、サビの部分でない場合であっても、最も繰り返される区間の歌詞がタイトル名として付与されることに変わりはないため、利用者にとっては、当該歌詞が楽曲の印象的な区間となる。
【００６８】
（ナビゲーション装置のタイトル付与処理の一例）
つぎに、図５を用いて、本実施例にかかるナビゲーション装置３００がおこなうタイトル付与処理の一例について説明する。図５は、本実施例にかかるナビゲーション装置のタイトル付与処理の一例を示すフローチャートである。
【００６９】
図５のフローチャートにおいて、ナビゲーション装置３００は、楽曲が再生されるのを待って（ステップＳ５０１：Ｎｏのループ）、楽曲が再生されると（ステップＳ５０１：Ｙｅｓ）、楽曲情報が入力される（ステップＳ５０２）。そして、タイトル名が付与されているか否かを判断する（ステップＳ５０３）。ステップＳ５０３において、ＣＤＤＢとの通信環境が悪かったり、ＣＤＤＢに対応するタイトル名が格納されておらず、タイトル名が付されなかったりし、タイトル名が付与されていないと判断した場合（ステップＳ５０３：Ｎｏ）、楽曲情報に含まれる音声情報のハイライト区間を抽出する（ステップＳ５０４）。なお、ステップＳ５０４においては、ハイライト区間の抽出に限らず、たとえば、イントロ部分を抽出してもよい。
【００７０】
そして、ＧＰＳユニット３１５によって、現在位置情報を取得する（ステップＳ５０５）。現在位置情報は、具体的には、市町村名程度の情報である。さらに、通信Ｉ／Ｆ３１４によって、現在位置における天気情報を取得する（ステップＳ５０６）。天気情報は、具体的には、「晴れ」、「曇り」、「雨」といった情報である。また、入力デバイス３１１からの入力に基づく、目的地に関する情報を取得する（ステップＳ５０７）。目的地に関する情報は、目的地に設定された地点の情報であり、具体的には、「川越市役所」、「Ａタワー」といった地物名の情報である。
【００７１】
そして、楽曲情報に対して、抽出したハイライト区間の音声情報、および取得した各情報を基に、それぞれテキスト形式のタイトル名を生成する（ステップＳ５０８）。そして、生成されたタイトル名を付与する（ステップＳ５０９）。なお、ステップＳ５０８において、ハイライト区間の音声情報に基づくタイトル名の生成は、ボーカル成分を音声解析することによっておこなわれる。これにより、サビの部分の歌詞がタイトル名として付与される。
【００７２】
このあと、適宜、ディスプレイ３１３からタイトル名を表示し（ステップＳ５１０）、一連の処理を終了する。一方、ステップＳ５０３において、タイトル名が付与されていると判断した場合（ステップＳ５０３：Ｙｅｓ）、一連の処理を終了する。
【００７３】
上述した処理では、ステップＳ５０１に示したように、楽曲の再生をトリガとし、つまり、楽曲が再生されることにより一連の処理をおこなうようにしたが、これに限られるものではなく、楽曲の録音をトリガとし、つまり、楽曲が録音されることにより一連の処理をおこなうようにしてもよい。また、上述したタイトル付与の処理に要する時間は、楽曲が再生されている間、継続しておこなわれるものではなく、つまり、楽曲の再生時間よりも短く、数秒程度で終了する処理である。
【００７４】
また、ステップＳ５０４において、抽出したハイライト区間の音声情報に、ボーカル成分が存在しない場合、つまり、歌詞のないサウンドトラックなどの場合、タイトル名として、曲調やテンポなどを付与してもよいし、再生した日時を付与してもよい。
【００７５】
また、上述した処理では、ステップＳ５０４により抽出したハイライト区間の音声情報、およびステップＳ５０５〜ステップＳ５０７により取得した情報を基に、４つのタイトル名を生成し、付与するようにしているが、少なくとも一つのタイトル名を付与すればよい。たとえば、渋滞などにより、現在位置情報、天気情報、目的地に関する情報が、複数の楽曲に対して、同一となる場合は、ハイライト区間の音声情報のみに基づいてタイトル名を付与するようにしてもよい。
【００７６】
さらに、上述した複数のタイトル名の中から、付与する情報を利用者によって選択させるようにしてもよいし、また、設定により、たとえば、高速道路を走行している場合など、景色等に変化が少なく、楽曲に対する利用者の情景との印象付けが明確におこなわれないと想定されるような場合には、音声情報に基づいて生成されたタイトル名のみを付与するように予め設定してもよい。また、取得する情報には、このほかにも、各種センサ３１６の速度センサからの、車両の速度に関する情報をも含めてもよい。
【００７７】
また、このような処理によってタイトル名を付与した場合には、当該タイトル名にフラグを立てておき、つぎに、再生した際に、タイトル名を更新するようにしてもよい。つまり、具体的には、当該フラグの有るタイトル名については、ステップＳ５０３において、タイトル名が付与されていないものと判断するようにし、再度タイトル名を付与すればよい。このように、タイトル名を更新することにより、よく聴く楽曲に対して、たとえば、何年も前の天気情報等がタイトル名として付与されているといったことを防止できる。
【００７８】
また、同様に、このような処理によってタイトル名を付与した場合には、当該タイトル名にフラグを立てておき、正規のタイトル名を取得した場合に、正規のタイトル名に振り替えるようにしてもよい。つまり、具体的には、上述した処理によりタイトル名を付与した後に、たとえば、通信環境が良好になり、ＣＤＤＢ等の音楽情報データベースへのアクセスが可能になり、正規のタイトル名の情報を取得した場合、付与したタイトル名から正規のタイトル名に振り替えるようにしてもよい。なお、この場合、付与したタイトル名を、正規のタイトル名の付属情報として、正規のタイトル名と同時に記録させてもよい。
【００７９】
（ディスプレイによる表示画面の一例）
つぎに、図６を用いて、本実施例にかかるディスプレイ３１３による表示画面の一例について説明する。図６は、本実施例にかかるディスプレイによる表示画面の一例を示す説明図である。
【００８０】
図６において、ディスプレイ３１３には、符号６０１〜６０４に示す４曲のタイトル名が表示されている。各タイトル名６０１〜６０４には、楽曲のサビ情報６１０と、再生時の天気情報６１１と、再生時の現在位置情報６１２と、目的地に関する情報６１３とが表示されている。
【００８１】
タイトル名６０１を例に挙げて説明すると、サビ情報６１０は、冒頭に音符が表示されており、歌詞表示であることを示している。そして、サビ情報６１０は、「朝日は昇る」となっている。つまり、サビの部分など、当該楽曲の最も繰り返しの多い部分に「朝日は昇る」という歌詞が含まれていることを示している。また、天気情報６１１は、この楽曲が最も近い過去に再生された際の現在位置における天気情報であり「晴れ」を示している。また、現在位置情報６１２は、最も近い過去に、この楽曲が再生された際の現在位置情報であり、「東京都港区」を示している。
【００８２】
さらに、目的地に関する情報６１３は、最も近い過去に、この楽曲が再生されたときに目的地として設定されていた地点の情報であり、「川越市役所」を示している。すなわち、タイトル名６０１の楽曲は、サビの部分に「朝日は昇る」という歌詞が含まれる楽曲であるとともに、川越市役所が目的地に設定された経路案内時に、東京都港区を晴天時に走行中、再生した楽曲であることを示している。タイトル名６０２についても同様に、サビの部分に「美しい夕焼けが」という歌詞が含まれる楽曲であるとともに、Ａタワーが目的地に設定された経路案内時に、埼玉県川越市を晴天時に走行中、再生した楽曲であることを示している。
【００８３】
また、タイトル名６０３は、たとえば、付与したタイトル名が長く、一度にディスプレイ３１３に表示できない場合を示している。このような場合、たとえば、自動的に左スクロールすることにより文字送りされ、利用者に対して、タイトル名６０３が全て通知されるようになっている。
【００８４】
また、タイトル名６０４は、たとえば、サウンドトラックなどのように歌詞がない場合や、楽曲に特徴がない場合を示したものである。このような場合、サビ情報６１０の表示領域に「前回  ０７／０７／０７  １２：００」が表示されている。つまり、前回、再生した日時が表示されている。なお、このような楽曲に歌詞がない場合には、サビ情報６１０に、たとえば、曲の明るさや、ジャズ、ロックといったジャンルや、テンポなどをタイトル名として表示してもよい。
【００８５】
上述した表示は、一例であり、たとえば、歌詞のない楽曲の場合に、「歌詞なし」と表示するようにしてもよい。また、再生時の車両の速度として、たとえば、高速道路を走行中であった場合には、そのときの速度である「時速１００ｋｍ／ｈ」の表示をしてもよいし、平均速度を算出することにより、当該平均速度が２０ｋｍ／ｈ以下であった場合には「渋滞中」などの表示をおこなってもよい。また、表示の順番は、サビ情報６１０を先頭にする表示に限らず、利用者にとって即座に選曲の判断をおこなうことができるものを先頭に配置できるように、利用者の設定により自由に変えられるようにしてもよい。
【００８６】
以上説明したように、本実施例にかかるナビゲーション装置３００は、タイトル名の付与に用いることができる、音声情報、または外部からの情報に基づいて、テキスト形式のタイトル名を生成し、楽曲情報にタイトル名を付与するようにした。したがって、利用者による煩雑な手間を省きながら、選曲する際の有益な情報を、タイトル名として付与することができる。これにより、大量の楽曲が記録されている場合であっても、利用者は、選曲を容易におこなうことができる。
【００８７】
また、本実施例においては、音声情報のうち、所定の区間の音声情報をテキスト形式に変換することにより、タイトル名を生成するようにした。具体的には、音声情報のハイライト区間を抽出し、抽出したハイライト区間の音声情報に基づいて、テキスト形式のタイトル名を生成するようにした。このような構成によれば、最も印象的な部分の、歌詞、曲調、テンポなどをタイトル名として付与できるため、利用者は選曲を容易におこなうことができる。
【００８８】
また、本実施例においては、入力された音声情報の開始位置から所定の範囲の導入区間を抽出し、抽出した導入区間の音声情報に基づいて、テキスト形式のタイトル名を生成してもよい。このような構成によれば、イントロ部分の、歌詞、曲調、テンポなどをタイトル名として付与できるため、利用者は選曲を容易におこなうことができる。
【００８９】
また、本実施例において、音声情報のボーカル成分を音声解析することにより、歌詞のタイトル名を生成するようにした。具体的には、楽曲のサビの部分のボーカル成分や、イントロ部分のボーカル成分を音声解析することにより、歌詞のタイトル名を生成するようにした。このような構成によれば、楽曲において印象的な部分となるサビの部分やイントロ部分の歌詞をタイトル名とすることができ、利用者は選曲を容易におこなうことができる。
【００９０】
また、本実施例において、音声情報の曲調またはテンポを音声解析することにより、曲調またはテンポのタイトル名を生成するようにしてもよい。このような構成によれば、楽曲全体の曲調またはテンポを、タイトル名として付与することができ、利用者は選曲を容易におこなうことができる。
【００９１】
また、本実施例において、外部からの情報として、移動体の現在位置を特定する情報、移動体の現在位置における天気情報、移動体の速度に関する情報、または、移動体の経路誘導時における目的地に関する情報のうち、少なくとも一つを用いるようにした。本構成は、利用者が当該楽曲を聴いていた場所、天気、速度、または行き先に関する情報をタイトル名として付与するものである。このような構成によれば、利用者にとっては、楽曲に印象づけられた、当該楽曲を聴いていたときの情景（場所、天気、速度、目的地など）がタイトル名となるので、選曲を容易におこなうことができる。
【００９２】
また、本実施例において、楽曲が再生されたときに、楽曲情報が入力されるようにした。このような構成によれば、楽曲が再生されたタイミングで、タイトル名の生成やタイトル名の付与をおこなうことができる。したがって、たとえば、タイトル付与モードなど、タイトル名のない楽曲を検索してタイトル名を付与するモードを設ける必要がなく、再生と同時にタイトル名を付与することが可能になるので、利用者は煩雑な手間を省くことができる。
【００９３】
また、本実施例において、楽曲が録音されたときに、楽曲情報が入力されるようにしてもよい。このような構成によれば、楽曲が録音されたタイミングで、タイトル名の生成やタイトル名の付与をおこなうことができる。したがって、たとえば、タイトル付与モードなど、タイトル名のない楽曲を検索してタイトル名を付与するモードを設ける必要がなく、録音と同時にタイトル名を付与することが可能になるので、利用者は煩雑な手間を省くことができる。
【００９４】
また、本実施例おいて、楽曲情報に付与されたタイトル名を表示するディスプレイ３１３を備えるようにした。このような構成によれば、利用者は、視覚により、簡単にタイトル名を認識することができる。
【００９５】
さらに、上記発明によれば、たとえば、個人的な編集により録音した楽曲に対してもタイトル名を付与することができる。詳細に説明すると、ＣＤＤＢを使用したタイトル名の付与は、アルバム名と、アーティスト名に基づいて、アルバムに記録される楽曲順ごとにタイトル名を取得することによりおこなわれる。一方、個人が趣味で複数のアルバム、複数のアーティストの楽曲をＣＤ等にまとめて収録する場合がある。このように個人的な編集によりＣＤを録音した場合には、アルバムに記録される楽曲の順番が既製のものとは異なり、上記ＣＤＤＢにアクセスしてもタイトル名を取得することはできないことがあるが、上記発明によれば、このような場合でも楽曲ごとに、サビの部分の歌詞や現在位置名などのタイトル名を付与することができる。
【００９６】
以上説明したように、本発明のタイトル付与装置、タイトル付与方法、タイトル付与プログラム、および記録媒体は、タイトル名の付与に用いることができる、入力された音声情報、または音声情報の入力時における外部状況の情報に基づいて、楽曲情報にテキスト形式のタイトル名を付与するようにした。したがって、利用者による煩雑な手間を省きながら、選曲する際の有益な情報を、タイトル名として付与することができる。これにより、利用者は、大量の楽曲が記録されている場合であっても、選曲を容易におこなうことができる。
【００９７】
なお、本実施例で説明したタイトル付与方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
【図面の簡単な説明】
【００９８】
【図１】本実施の形態にかかるタイトル付与装置の構成の一例を示すブロック図である。
【図２】本実施の形態にかかるタイトル付与装置のタイトル付与処理手順の一例を示すフローチャートである。
【図３】実施例１にかかるナビゲーション装置のハードウェア構成の一例を示すブロック図である。
【図４】本実施例にかかるナビゲーション装置によるハイライト区間の抽出の一例を示す説明図である。
【図５】本実施例にかかるナビゲーション装置のタイトル付与処理の一例を示すフローチャートである。
【図６】本実施例にかかるディスプレイによる表示画面の一例を示す説明図である。
【符号の説明】
【００９９】
１００  タイトル付与装置
１０１  入力部
１０２  判断部
１０３  生成部
１０４  付与部
１０５  取得部
１０６  表示部
３００  ナビゲーション装置
３１３  ディスプレイ
４００  音声情報
６０１〜６０４  タイトル名
【図１】
2009043353.tif 000003
【図２】
2009043353.tif 000004
【図３】
2009043353.tif 000005
【図４】
2009043353.tif 000006
【図５】
2009043353.tif 000007
【図６】
2009043353.tif 000008